(57)【要約】【課題】たとえばサムネイル画像が短時間内に集中した場合などに、そのタイムバーの領域を拡大表示することによって、時刻の表示を見やすく認識可能にすること。【解決手段】時刻表示制御部５５によって表示部４０に表示された時刻表示領域のうち、入力部２０によって選択された所望の時刻表示領域（たとえば７ｈから８ｈ間）の表示時刻スケールを、この選択された所望の時刻表示領域の領域幅に基づいて変更して、タイムバー４２上に拡大または縮小表示させる。【選択図】        図２
2006345929.tif 000002
【特許請求の範囲】
【請求項１】
被検体内導入装置で取得された画像を取り込んで表示部に表示する画像表示装置において、
少なくとも前記画像を前記表示部の画像表示領域に順次表示させる画像表示制御手段と、
前記取得された画像の撮像時間情報に基づいて、前記画像全体の時刻を検知する時刻検知手段と、
前記時刻検知手段で検知された時刻に基づいて、前記画像全体の時刻を前記表示部の時刻表示領域に表示させる時刻表示制御手段と、
を備えることを特徴とする画像表示装置。
【請求項２】
前記画像表示領域に表示された画像から、所望の画像を選択する画像選択手段と、
前記画像選択手段で選択された前記所望の画像である選択画像を、前記取り込んだ画像の中から抽出する抽出手段と、
前記抽出手段で抽出された選択画像を、前記表示部の所定表示領域に表示させるとともに、前記選択画像の撮像時間に基づいて、前記選択画像と、前記時刻表示手段によって前記時刻表示領域に表示された時刻とを関連付けて、前記表示部の所定表示領域に結線表示させる選択画像表示制御手段と、
をさらに備えることを特徴とする請求項１に記載の画像表示装置。
【請求項３】
前記時刻表示制御手段によって表示された時刻のうちの所望の時刻表示領域の領域幅を変更することによって前記所望の時刻表示領域を選択する時刻選択手段を、
さらに備え、前記時刻表示制御手段は、前記時刻選択手段で選択された時刻表示領域の領域幅に基づいて、前記選択された時刻表示領域の表示時刻スケールを変更することを特徴とする請求項１または２に記載の画像表示装置。
【請求項４】
前記選択画像表示手段によって表示された選択画像のうちの所望の選択画像を選択する選択画像選択手段を、
さらに備え、前記時刻表示制御手段は、前記選択画像選択手段で選択された選択画像の予め定められた周辺の時刻表示領域の表示時刻スケールを変更することを特徴とする請求項１または２に記載の画像表示装置。
【請求項５】
前記選択画像表示手段によって表示された結線のうちの所望の結線を移動することによって予め定められた周辺の前記時刻表示領域を選択する時刻選択手段を、
さらに備え、前記時刻表示制御手段は、前記時刻選択手段で選択された時刻表示領域の表示時刻スケールを変更することを特徴とする請求項１または２に記載の画像表示装置。
【請求項６】
前記時刻表示制御手段は、前記画像表示領域に表示される画像の時刻位置を示す位置情報を、前記時刻表示領域に表示させ、
前記画像表示装置は、前記時刻表示制御手段によって表示された所望位置での位置情報を選択する位置情報選択手段を、
さらに備え、前記時刻表示制御手段は、前記位置情報選択手段で選択された所望位置での位置情報の予め定められた周辺の時刻表示領域の表示時刻スケールを変更して、前記時刻表示領域とは別の時刻表示領域として前記表示部に表示させることを特徴とする請求項１または２に記載の画像表示装置。
【請求項７】
前記時刻表示制御手段によって表示された時刻表示領域のうちの所望の時刻表示領域を選択する時刻選択手段を、
さらに備え、前記時刻表示制御手段は、前記時刻選択手段で選択された時刻表示領域の選択幅に応じて、前記選択された時刻表示領域の表示時刻スケールを変更して、前記時刻表示領域とは別の時刻表示領域として前記表示部に表示させることを特徴とする請求項１または２に記載の画像表示装置。
【請求項８】
前記時刻表示制御手段によって表示された時刻表示領域のうちの所望の時刻位置を選択する時刻選択手段を、
さらに備え、前記時刻表示制御手段は、前記時刻選択手段で選択された所望の時刻位置の予め定められた周辺の時刻表示領域の表示時刻スケールを変更して、前記時刻表示領域とは別の時刻表示領域として前記表示部に表示させることを特徴とする請求項１または２に記載の画像表示装置。
【請求項９】
前記表示制御手段は、前記時刻表示領域の表示時刻スケールを変更するための変更情報を、前記表示部に表示させ、
前記画像表示装置は、前記表示された変更情報を選択するとともに、前記時刻表示制御手段によって表示された時刻表示領域のうちの所望の時刻位置を選択する変更情報選択手段を、
さらに備え、前記時刻表示制御手段は、先に表示させた時刻表示領域に代えて、前記変更情報選択手段で選択された所望の時刻位置の予め定められた周辺の時刻表示領域を、前記選択された変更情報に基づく表示時刻スケールで表示させることを特徴とする請求項１または２に記載の画像表示装置。
【請求項１０】
被検体内導入装置で取得された画像を取り込んで表示部に表示する画像表示装置において、
少なくとも前記画像を前記表示部の画像表示領域に順次表示させる画像表示制御手段と、
前記取り込んだ画像全体の時刻を前記表示部の時刻表示領域に表示させる時刻表示制御手段と、
前記時刻表示制御手段によって表示された時刻のうちの所望の時刻表示領域の領域幅を変更することによって前記所望の時刻表示領域を選択する時刻選択手段と、
を備え、前記時刻表示制御手段は、前記時刻選択手段で選択された時刻表示領域の領域幅に基づいて、前記選択された時刻表示領域の表示時刻スケールを変更することを特徴とする画像表示装置。
【請求項１１】
被検体内導入装置で取得された画像を取り込んで表示部に表示する画像表示装置において、
少なくとも前記画像を前記表示部の画像表示領域に順次表示させる画像表示制御手段と、
前記取り込んだ画像全体の時刻を前記表示部の時刻表示領域に表示させるとともに、前記画像表示領域に表示される画像の時刻位置を示す位置情報を、前記時刻表示領域に表示させる時刻表示制御手段と、
前記時刻表示制御手段によって表示された所望位置での位置情報を選択する位置情報選択手段と、
を備え、前記時刻表示制御手段は、前記位置情報選択手段で選択された所望位置での位置情報の予め定められた周辺の時刻表示領域の表示時刻スケールを変更して、前記時刻表示領域とは別の時刻表示領域として前記表示部に表示させることを特徴とする画像表示装置。
【請求項１２】
被検体内導入装置で取得された画像を取り込んで表示部に表示する画像表示装置において、
少なくとも前記画像を前記表示部の画像表示領域に順次表示させる画像表示制御手段と、
前記取り込んだ画像全体の時刻を前記表示部の時刻表示領域に表示させる時刻表示制御手段と、
前記時刻表示制御手段によって表示された時刻表示領域のうちの所望の時刻表示領域を選択する時刻選択手段と、
を備え、前記時刻表示制御手段は、前記時刻選択手段で選択された時刻表示領域の選択幅に応じて、前記選択された時刻表示領域の表示時刻スケールを変更して、前記時刻表示領域とは別の時刻表示領域として前記表示部に表示させることを特徴とする画像表示装置。
【請求項１３】
被検体内導入装置で取得された画像を取り込んで表示部に表示する画像表示装置において、
少なくとも前記画像を前記表示部の画像表示領域に順次表示させる画像表示制御手段と、
前記取り込んだ画像全体の時刻を前記表示部の時刻表示領域に表示させる時刻表示制御手段と、
前記時刻表示制御手段によって表示された時刻表示領域のうちの所望の時刻位置を選択する時刻選択手段と、
を備え、前記時刻表示制御手段は、前記時刻選択手段で選択された所望の時刻位置の予め定められた周辺の時刻表示領域の表示時刻スケールを変更して、前記時刻表示領域とは別の時刻表示領域として前記表示部に表示させることを特徴とする請求項１または２に記載の画像表示装置。
【請求項１４】
被検体内導入装置で取得された画像を取り込んで表示部に表示する画像表示装置において、
少なくとも前記画像を前記表示部の画像表示領域に順次表示させるとともに、前記表示部の時刻表示領域の表示時刻スケールを変更するための変更情報を、前記表示部に表示させる画像表示制御手段と、
前記取り込んだ画像全体の時刻を前記表示部の時刻表示領域に表示させる時刻表示制御手段と、
前記表示された変更情報を選択するとともに、前記時刻表示制御手段によって表示された時刻表示領域のうちの所望の時刻位置を選択する変更情報選択手段と、
を備え、前記時刻表示制御手段は、先に表示させた時刻表示領域に代えて、前記変更情報選択手段で選択された所望の時刻位置の予め定められた周辺の時刻表示領域を、前記選択された変更情報に基づく表示時刻スケールで表示させることを特徴とする画像表示装置。
【請求項１５】
前記画像表示領域に表示された画像から、所望の画像を選択する画像選択手段と、
前記画像選択手段で選択された前記所望の画像である選択画像を、前記取り込んだ画像の中から抽出する抽出手段と、
前記抽出手段で抽出された選択画像を、前記表示部の所定表示領域に表示させるとともに、前記選択画像の撮像時間に基づいて、前記選択画像と、前記時刻表示手段によって前記時刻表示領域に表示された時刻とを関連付けて、前記表示部の所定表示領域に結線表示させる選択画像表示制御手段と、
をさらに備えることを特徴とする請求項１０〜１４のいずれか一つに記載の画像表示装置。
【請求項１６】
被検体内導入装置で取得された画像を取り込んで表示部に表示する画像表示装置において、
少なくとも前記画像を前記表示部の画像表示領域に順次表示させる画像表示制御手段と、
前記取り込んだ画像全体の時刻を前記表示部の時刻表示領域に表示させる時刻表示制御手段と、
前記画像表示領域に表示された画像から、所望の画像を選択する画像選択手段と、
前記画像選択手段で選択された前記所望の画像である選択画像を、前記取り込んだ画像の中から抽出する抽出手段と、
前記抽出手段で抽出された選択画像を、前記表示部の所定表示領域に表示させる選択画像表示制御手段と、
前記選択画像表示制御手段によって表示された選択画像のうちの所望の選択画像を選択する選択画像選択手段と、
を備え、前記時刻表示制御手段は、前記選択画像選択手段で選択された選択画像の予め定められた周辺の時刻表示領域の表示時刻スケールを変更することを特徴とする画像表示装置。
【請求項１７】
被検体内導入装置で取得された画像を取り込んで表示部に表示する画像表示装置において、
少なくとも前記画像を前記表示部の画像表示領域に順次表示させる画像表示制御手段と、
前記取り込んだ画像全体の時刻を前記表示部の時刻表示領域に表示させる時刻表示制御手段と、
前記画像表示領域に表示された画像から、所望の画像を選択する画像選択手段と、
前記画像選択手段で選択された前記所望の画像である選択画像を、前記取り込んだ画像の中から抽出する抽出手段と、
前記抽出手段で抽出された選択画像を、前記表示部の所定表示領域に表示させるとともに、前記選択画像の撮像時間に基づいて、前記選択画像と、前記時刻表示手段によって前記時刻表示領域に表示された時刻とを関連付けて、前記表示部の所定表示領域に結線表示させる選択画像表示制御手段と、
前記選択画像表示手段によって表示された結線のうちの所望の結線を移動することによって予め定められた周辺の前記時刻表示領域を選択する時刻選択手段と、
を備え、前記時刻表示制御手段は、前記時刻選択手段で選択された時刻表示領域の表示時刻スケールを変更することを特徴とする画像表示装置。
【発明の詳細な説明】
【技術分野】
【０００１】
本発明は、取り込まれた被検体内導入装置からの画像とともに、この画像全体の時刻を表示部に表示する画像表示装置に関するものである。
【背景技術】
【０００２】
近年、内視鏡の分野では、撮像機能と無線通信機能とが装備されたカプセル型内視鏡が登場している。このカプセル型内視鏡は、観察（検査）のために被検体である被検者の口から飲み込まれた後、被検者の生体（人体）から自然排出されるまでの観察期間、たとえば胃、小腸などの臓器の内部（体腔内）をその蠕動運動に伴って移動し、撮像機能を用いて所定の撮像レートで順次撮像する構成を有する。
【０００３】
また、これら臓器内を移動するこの観察期間、カプセル型内視鏡によって体腔内で撮像された画像データは、順次無線通信などの無線通信機能により、被検体の外部に送信され、外部の受信装置内に設けられたメモリに蓄積される。被検者がこの無線通信機能とメモリ機能を備えた受信装置を携帯することにより、被検者は、カプセル型内視鏡を飲み込んだ後、排出されるまでの観察期間であっても、不自由を被ることなく自由に行動が可能になる。観察後は、医者もしくは看護士によって、受信装置のメモリに蓄積された画像データに基づいて、体腔内の画像をディスプレイなどの表示手段に表示させて診断を行うことができる（特許文献１参照）。
【０００４】
ところで、近年では、ワークステーションなどの画像表示装置のディスプレイ（表示部）に体腔内の画像を表示させることがあり、この場合には、表示部に上記画像を順次表示するほか、たとえば画像認識の容易化や診断の迅速化をはかるために、表示される画像の時刻を認識可能なタイムバーや医師などによって上記画像から選択された選択画像（サムネイル画像）を合わせて表示するとともに、このタイムバーとサムネイル画像を撮像時間に対応させて結線させて、表示部に表示するものも考案されている。
【０００５】
【特許文献１】特開２００３−１９１１１号公報
【発明の開示】
【発明が解決しようとする課題】
【０００６】
しかしながら、このタイムバーの長さは所定時間、たとえば１０時間の固定スケールで表示されており、現実の診断においては、疾患部は集中する傾向にあり、選択されるサムネイル画像もこの疾患部に集中することとなる。このため、上記タイムバーと選択されたサムネイル画像を結ぶ時に、固定スケールのタイムバーでは、結線が特定の場所に集中してしまって、時刻表示が見づらくなるという問題があった。また、固定スケールのタイムバーでは、医者などが注目したい場所が体腔内のどのあたりを表示しているのかが分りづらい場合があった。
【０００７】
本発明は、上記問題に鑑みてなされたものであって、たとえばサムネイル画像が短時間内に集中した場合などに、そのタイムバーの領域を拡大表示させたり、撮像時間に応じた必要な時刻分を表示させることによって、時刻の表示を見やすく認識可能にすることができる画像表示装置を提供することを目的とする。
【課題を解決するための手段】
【０００８】
上述した課題を解決し、目的を達成するために、本発明にかかる画像表示装置は、被検体内導入装置で取得された画像を取り込んで表示部に表示する画像表示装置において、少なくとも前記画像を前記表示部の画像表示領域に順次表示させる画像表示制御手段と、前記取得された画像の撮像時間情報に基づいて、前記画像全体の時刻を検知する時刻検知手段と、前記時刻検知手段で検知された時刻に基づいて、前記画像全体の時刻を前記表示部の時刻表示領域に表示させる時刻表示制御手段と、を備えることを特徴とする。
【０００９】
また、請求項２の発明にかかる画像表示装置は、上記発明において、前記画像表示領域に表示された画像から、所望の画像を選択する選択手段と、前記選択手段で選択された前記所望の画像である選択画像を、前記取り込んだ画像の中から抽出する抽出手段と、前記抽出手段で抽出された選択画像を、前記表示部の所定表示領域に表示させるとともに、前記選択画像の撮像時間に基づいて、前記選択画像と、前記時刻表示手段によって前記時刻表示領域に表示された時刻とを関連付けて、前記表示部の所定表示領域に結線表示させる選択画像表示制御手段と、をさらに備えることを特徴とする。
【００１０】
また、請求項３の発明にかかる画像表示装置は、上記発明において、前記時刻表示制御手段によって表示された時刻のうちの所望の時刻表示領域の領域幅を変更することによって前記所望の時刻表示領域を選択する時刻選択手段を、さらに備え、前記時刻表示制御手段は、前記時刻選択手段で選択された時刻表示領域の領域幅に基づいて、前記選択された時刻表示領域の表示時刻スケールを変更することを特徴とする。
【００１１】
また、請求項４の発明にかかる画像表示装置は、上記発明において、前記選択画像表示手段によって表示された選択画像のうちの所望の選択画像を選択する選択画像選択手段を、さらに備え、前記時刻表示制御手段は、前記選択画像選択手段で選択された選択画像の予め定められた周辺の時刻表示領域の表示時刻スケールを変更することを特徴とする。
【００１２】
また、請求項５の発明にかかる画像表示装置は、上記発明において、前記選択画像表示手段によって表示された結線のうちの所望の結線を移動することによって予め定められた周辺の前記時刻表示領域を選択する時刻選択手段を、さらに備え、前記時刻表示制御手段は、前記時刻選択手段で選択された時刻表示領域の表示時刻スケールを変更することを特徴とする。
【００１３】
また、請求項６の発明にかかる画像表示装置は、上記発明において、前記時刻表示制御手段は、前記画像表示領域に表示される画像の時刻位置を示す位置情報を、前記時刻表示領域に表示させ、前記画像表示装置は、前記時刻表示制御手段によって表示された所望位置での位置情報を選択する位置情報選択手段を、さらに備え、前記時刻表示制御手段は、前記位置情報選択手段で選択された所望位置での位置情報の予め定められた周辺の時刻表示領域の表示時刻スケールを変更することを特徴とする。
【００１４】
また、請求項７の発明にかかる画像表示装置は、上記発明において、前記時刻表示制御手段によって表示された時刻表示領域のうちの所望の時刻表示領域を選択する時刻選択手段を、さらに備え、前記時刻表示制御手段は、前記時刻選択手段で選択された時刻表示領域の選択幅に応じて、前記選択された時刻表示領域の表示時刻スケールを変更して、前記時刻表示領域とは別の時刻表示領域として前記表示部に表示させることを特徴とする。
【００１５】
また、請求項８の発明にかかる画像表示装置は、上記発明において、前記時刻表示制御手段によって表示された時刻表示領域のうちの所望の時刻位置を選択する時刻選択手段を、さらに備え、前記時刻表示制御手段は、前記時刻選択手段で選択された所望の時刻位置の予め定められた周辺の時刻表示領域の表示時刻スケールを変更して、前記時刻表示領域とは別の時刻表示領域として前記表示部に表示させることを特徴とする。
【００１６】
また、請求項９の発明にかかる画像表示装置は、上記発明において、前記表示制御手段は、前記時刻表示領域の表示時刻スケールを変更するための変更情報を、前記表示部に表示させ、前記画像表示装置は、前記表示された変更情報を選択するとともに、前記時刻表示制御手段によって表示された時刻表示領域のうちの所望の時刻位置を選択する変更情報選択手段を、さらに備え、前記時刻表示制御手段は、先に表示させた時刻表示領域に代えて、前記変更情報選択手段で選択された所望の時刻位置の予め定められた周辺の時刻表示領域を、前記選択された変更情報に基づく表示時刻スケールで表示させることを特徴とする。
【００１７】
また、請求項１０の発明にかかる画像表示装置は、被検体内導入装置で取得された画像を取り込んで表示部に表示する画像表示装置において、少なくとも前記画像を前記表示部の画像表示領域に順次表示させる画像表示制御手段と、前記取り込んだ画像全体の時刻を前記表示部の時刻表示領域に表示させる時刻表示制御手段と、前記時刻表示制御手段によって表示された時刻のうちの所望の時刻表示領域の領域幅を変更することによって前記所望の時刻表示領域を選択する時刻選択手段と、を備え、前記時刻表示制御手段は、前記時刻選択手段で選択された時刻表示領域の領域幅に基づいて、前記選択された時刻表示領域の表示時刻スケールを変更することを特徴とする。
【００１８】
また、請求項１１の発明にかかる画像表示装置は、被検体内導入装置で取得された画像を取り込んで表示部に表示する画像表示装置において、少なくとも前記画像を前記表示部の画像表示領域に順次表示させる画像表示制御手段と、前記取り込んだ画像全体の時刻を前記表示部の時刻表示領域に表示させるとともに、前記画像表示領域に表示される画像の時刻位置を示す位置情報を、前記時刻表示領域に表示させる時刻表示制御手段と、前記時刻表示制御手段によって表示された所望位置での位置情報を選択する位置情報選択手段と、を備え、前記時刻表示制御手段は、前記位置情報選択手段で選択された所望位置での位置情報の予め定められた周辺の時刻表示領域の表示時刻スケールを変更して、前記時刻表示領域とは別の時刻表示領域として前記表示部に表示させることを特徴とする。
【００１９】
また、請求項１２の発明にかかる画像表示装置は、被検体内導入装置で取得された画像を取り込んで表示部に表示する画像表示装置において、少なくとも前記画像を前記表示部の画像表示領域に順次表示させる画像表示制御手段と、前記取り込んだ画像全体の時刻を前記表示部の時刻表示領域に表示させる時刻表示制御手段と、前記時刻表示制御手段によって表示された時刻表示領域のうちの所望の時刻表示領域を選択する時刻選択手段と、を備え、前記時刻表示制御手段は、前記時刻選択手段で選択された時刻表示領域の選択幅に応じて、前記選択された時刻表示領域の表示時刻スケールを変更して、前記時刻表示領域とは別の時刻表示領域として前記表示部に表示させることを特徴とする。
【００２０】
また、請求項１３の発明にかかる画像表示装置は、被検体内導入装置で取得された画像を取り込んで表示部に表示する画像表示装置において、少なくとも前記画像を前記表示部の画像表示領域に順次表示させる画像表示制御手段と、前記取り込んだ画像全体の時刻を前記表示部の時刻表示領域に表示させる時刻表示制御手段と、前記時刻表示制御手段によって表示された時刻表示領域のうちの所望の時刻位置を選択する時刻選択手段と、を備え、前記時刻表示制御手段は、前記時刻選択手段で選択された所望の時刻位置の予め定められた周辺の時刻表示領域の表示時刻スケールを変更して、前記時刻表示領域とは別の時刻表示領域として前記表示部に表示させることを特徴とする。
【００２１】
また、請求項１４の発明にかかる画像表示装置は、被検体内導入装置で取得された画像を取り込んで表示部に表示する画像表示装置において、少なくとも前記画像を前記表示部の画像表示領域に順次表示させるとともに、前記表示部の時刻表示領域の表示時刻スケールを変更するための変更情報を、前記表示部に表示させる画像表示制御手段と、前記取り込んだ画像全体の時刻を前記表示部の時刻表示領域に表示させる時刻表示制御手段と、前記表示された変更情報を選択するとともに、前記時刻表示制御手段によって表示された時刻表示領域のうちの所望の時刻位置を選択する変更情報選択手段と、を備え、前記時刻表示制御手段は、先に表示させた時刻表示領域に代えて、前記変更情報選択手段で選択された所望の時刻位置の予め定められた周辺の時刻表示領域を、前記選択された変更情報に基づく表示時刻スケールで表示させることを特徴とする。
【００２２】
また、請求項１５の発明にかかる画像表示装置は、上記発明において、前記画像表示領域に表示された画像から、所望の画像を選択する画像選択手段と、前記画像選択手段で選択された前記所望の画像である選択画像を、前記取り込んだ画像の中から抽出する抽出手段と、前記抽出手段で抽出された選択画像を、前記表示部の所定表示領域に表示させるとともに、前記選択画像の撮像時間に基づいて、前記選択画像と、前記時刻表示手段によって前記時刻表示領域に表示された時刻とを関連付けて、前記表示部の所定表示領域に結線表示させる選択画像表示制御手段と、をさらに備えることを特徴とする。
【００２３】
また、請求項１６の発明にかかる画像表示装置は、被検体内導入装置で取得された画像を取り込んで表示部に表示する画像表示装置において、少なくとも前記画像を前記表示部の画像表示領域に順次表示させる画像表示制御手段と、前記取り込んだ画像全体の時刻を前記表示部の時刻表示領域に表示させる時刻表示制御手段と、前記画像表示領域に表示された画像から、所望の画像を選択する画像選択手段と、前記画像選択手段で選択された前記所望の画像である選択画像を、前記取り込んだ画像の中から抽出する抽出手段と、前記抽出手段で抽出された選択画像を、前記表示部の所定表示領域に表示させる選択画像表示制御手段と、前記選択画像表示制御手段によって表示された選択画像のうちの所望の選択画像を選択する選択画像選択手段と、を備え、前記時刻表示制御手段は、前記選択画像選択手段で選択された選択画像の予め定められた周辺の時刻表示領域の表示時刻スケールを変更することを特徴とする。
【００２４】
また、請求項１７の発明にかかる画像表示装置は、被検体内導入装置で取得された画像を取り込んで表示部に表示する画像表示装置において、少なくとも前記画像を前記表示部の画像表示領域に順次表示させる画像表示制御手段と、前記取り込んだ画像全体の時刻を前記表示部の時刻表示領域に表示させる時刻表示制御手段と、前記画像表示領域に表示された画像から、所望の画像を選択する画像選択手段と、前記画像選択手段で選択された前記所望の画像である選択画像を、前記取り込んだ画像の中から抽出する抽出手段と、前記抽出手段で抽出された選択画像を、前記表示部の所定表示領域に表示させるとともに、前記選択画像の撮像時間に基づいて、前記選択画像と、前記時刻表示手段によって前記時刻表示領域に表示された時刻とを関連付けて、前記表示部の所定表示領域に結線表示させる選択画像表示制御手段と、前記選択画像表示手段によって表示された結線のうちの所望の結線を移動することによって予め定められた周辺の前記時刻表示領域を選択する時刻選択手段と、を備え、前記時刻表示制御手段は、前記時刻選択手段で選択された時刻表示領域の表示時刻スケールを変更することを特徴とする。
【発明の効果】
【００２５】
本発明にかかる画像表示装置は、取り込んだ被検体内導入装置からの画像に付与される撮像時間情報に基づいて、取り込んだ画像全体の時刻を時刻検知手段で検知し、この検知された時刻に基づいて、前記画像全体の時刻を表示部の時刻表示領域に表示させることで、たとえば撮像時間に応じた必要な時刻分を時刻表示領域に表示させることによって、時刻の表示を見やすく認識可能にすることができるという効果を奏する。
【発明を実施するための最良の形態】
【００２６】
以下に、本発明にかかる画像表示装置の実施の形態を図１〜図１７の図面に基づいて詳細に説明する。なお、本発明は、これらの実施の形態に限定されるものではなく、本発明の要旨を逸脱しない範囲で種々の変更実施の形態が可能である。
【００２７】
（実施の形態１）
図１は、本発明にかかる被検体内情報取得システムの構成概念を示すシステム概念図である。図１において、この被検体内情報取得システムは、被検体１の外部に配置され、受信機能を有する受信装置２と、被検体１の体腔内に導入され、体腔内画像を撮像して受信装置２に対してデータ送信を行う飲み込み型のカプセル型内視鏡３とを備えている。また、被検体内情報取得システムは、受信装置２が受信したデータに基づいて体腔内画像の表示を行う画像表示装置４と、受信装置２と画像表示装置４間でデータの受け渡しを行うための携帯型記録媒体５とを備えている。なお、受信装置２は、被検体１によって着用される受信ジャケット２ａと、受信ジャケット２ａを介して受信される無線信号の処理などを行う外部装置２ｂとを備える。
【００２８】
画像表示装置４は、カプセル型内視鏡３によって撮像された体腔内画像を表示するためのものであり、携帯型記録媒体５によって得られるデータに基づいて画像表示を行うワークステーションなどのような構成を有する。具体的には、画像表示装置４は、ＣＲＴディスプレイ、液晶ディスプレイなどによって、カプセル型内視鏡３が撮像した複数の静止画像を直接表示するように構成される。
【００２９】
携帯型記録媒体５は、外部装置２ｂおよび画像表示装置４にも接続可能であって、両者に対して挿入されて、接続された時に情報の出力または記録が可能な構造を有する。この実施の形態では、携帯型記録媒体５は、カプセル型内視鏡３が被検体１の体腔内を移動している間は、外部装置２ｂに挿入されてカプセル型内視鏡３から送信されるデータを記録する。次に、カプセル型内視鏡３が被検体１から排出された後、つまり、被検体１の内部の撮像が終了した後には、外部装置２ｂから取り出されて画像表示装置４に挿入され、この画像表示装置４によって、画像表示装置４に記録されたデータが読み出される構成を有する。たとえば、この携帯型記録媒体５は、コンパクトフラッシュ（登録商標）メモリなどから構成され、外部装置２ｂと画像表示装置４とのデータの入出力を、携帯型記録媒体５を介して間接的に行うことができ、外部装置２ｂと画像表示装置４との間が有線で直接接続された場合と異なり、被検体１が体腔内の撮影中に自由に動作することが可能となる。
【００３０】
次に、図２のブロック図の一例を用いて画像表示装置４の構成を説明する。図２において、画像表示装置４は、入力部２０と、記憶部３０と、表示部４０と、制御部５０とを備える。
【００３１】
入力部２０は、キーボードやマウスなどのポインティングデバイスなどによって実現され、画像表示装置４の動作指示および画像表示装置４が行う処理の指示情報を入力し、各指示情報を制御部５０に送出している。画像選択手段としての入力部２０は、表示部４０の画像表示領域に表示された画像の中から所望の画像を選択する選択情報を入力する。たとえば、入力部２０のマウスを操作し、画面上に表示されたカーソルを、画像表示領域に表示された画像上に移動させて、所望の画像に対してボタンをクリックした場合、入力部２０は、この画像を選択する選択情報を入力する。
【００３２】
たとえば、入力部２０のマウスを操作し、画面上のカーソル２１を体腔内画像上に移動させた状態でマウスの左ボタンがダブルクリックされた場合に、入力部２０は、所望の体腔内画像の縮小表示（サムネイル表示）を指示する指示情報を入力する。また、選択画像選択手段としての入力部２０は、表示部４０のサムネイル画像表示領域Ａ２に表示された選択画像の中から所望の選択画像を選択する選択情報を入力する。たとえば、入力部２０のマウスを操作し、画面上のカーソル２１を所望のサムネイル画像上に移動させた状態でマウスの左ボタンがダブルクリックされた場合に、入力部２０は、所望のサムネイル画像を指示する指示情報を入力する。
【００３３】
また、入力部２０のマウスを操作し、画面上のカーソル２１を画像再生ボタン上に移動させた状態でマウスの左ボタンがクリックされた場合に、体腔内画像の再生を指示する指示情報を入力する。また、時刻選択手段としての入力部２０のマウスを操作し、画面上のカーソル２１を後述するタイムバー４２の所望の時間軸に移動させ、マウスの左ボタンを押したままの状態で左右に移動させた場合に、所望時刻表示領域の領域幅の変更を指示する指示情報を入力する。
【００３４】
記憶部３０は、たとえばハードディスク装置などによって実現され、各種画像などを保持する。たとえば、記憶部３０は、フォルダＦ１とフォルダＦ２とを有し、フォルダＦ１内には、カプセル型内視鏡３によって撮像された画像群Ｐａが格納される。フォルダＦ１に格納された画像群Ｐａには、画像ごとに、受信装置２における画像データの受信順にしたがってフレーム番号と時間が付与されている。また、フォルダＦ２内には、画像群Ｐａの各フレーム番号と、入力部２０によって選択指示された体腔内画像を示すためのフラグとが対応付けられて記憶されている。なお、体腔内画像のフレーム番号は、撮像順に１からＮ（Ｎは任意の正数）まで順番に番号が付されており、選択指示された体腔内画像のフレーム番号には、フラグ“１”が立っている。
【００３５】
表示部４０は、ＣＲＴディスプレイ、液晶ディスプレイなどによって実現され、入力部２０の指示情報あるいは指示結果などを表示する。表示部４０は、記憶部３０のフォルダＦ１に格納された画像群Ｐａにおける体腔内画像、指示情報によって指示された縮小画像（サムネイル画像）などが表示される画像表示領域を有する。すなわち、表示部４０は、図３の表示画面の一例に示すように、表示画面に画像表示領域（ウィンドウ）Ｗが表示される。このウィンドウＷには、大きくは、体腔内画像を表示する体腔内画像表示領域Ａ１、サムネイル画像を表示するサムネイル画像表示領域Ａ２、検査ＩＤや患者ＩＤなどの識別情報を表示する識別情報表示領域Ａ３が設けられている。サムネイル画像表示領域Ａ２は、体腔内画像表示領域Ａ１の下方の領域に、識別情報表示領域Ａ３は、体腔内画像表示領域Ａ１の向かって左側の領域に設けられ、体腔内画像表示領域Ａ１とサムネイル画像表示領域Ａ２との間には、再生ボタン４１などの動画表示制御ボタン群とタイムバー４２とがそれぞれ設けられている。
【００３６】
体腔内画像表示領域Ａ１には、フォルダＦ１に格納された画像群Ｐａにおける体腔内画像Ｐｂが所望の再生フレームレート（画像を再生するための表示レート）で順次表示される。
【００３７】
再生ボタン４１は、入力部２０のマウスを操作し、画面上のカーソルを移動させて、たとえば右クリックされると、図４に示すように、表示制御部５２の表示制御によって図示しない停止ボタンに表示が切り替わるとともに、体腔内画像Ｐｂが体腔内画像表示領域Ａ１に順次表示される。また、停止ボタンがたとえば右クリックされると、再生ボタン４１に表示が切り替わるとともに、停止指示時の体腔内画像Ｐｂが体腔内画像表示領域Ａ１に停止表示される。すなわち、再生ボタン４１と停止ボタンは、互いに切り替わってトグル表示されることとなる。
【００３８】
タイムバー４２は、被検体内の体腔内画像の撮像時間を示すもので、この実施の形態では、１０時間の撮像時間を想定している。また、タイムバー４２には、現在、体腔内画像表示領域Ａ１に表示されている画像の時刻も合わせて表示している。このタイムバー４２と選択されてサムネイル画像表示領域Ａ２に表示されているサムネイル画像とは、体腔内画像Ｐｂに付与された時間情報によって互いに結線４４でリンクされている。
【００３９】
制御部５０は、入力部２０、記憶部３０、表示部４０の各処理または動作を制御する。制御部５０は、画像処理部５１と、表示制御部５２と、画像抽出部５３とを備える。画像処理部５１は、画像群Ｐａに含まれる画像などを処理するとともに、画像群Ｐａの各画像のフレーム番号と、フラグとを対応付けたテーブルＴａを生成する。また、画像処理部５１は、このテーブルＴａに、入力部２０からの指示情報に基づく、画像のフレーム番号にサムネイル画像である旨を示すフラグを付与して出力する。たとえば、フラグ“１”はサムネイル画像であることを示し、フラグ“０”は、サムネイル画像でないことを示す。
【００４０】
表示制御部５２は、表示部４０における表示処理を制御する機能であり、画像の表示処理を制御する画像表示制御手段としての画像表示制御部５４と、タイムバーなどの時刻の表示処理を制御する時刻表示制御手段としての時刻表示制御部５５と、選択画像の表示処理を制御する選択画像表示制御手段としての選択画像表示制御部５６とを有する。画像表示制御部５４は、フォルダＦ１に格納された画像群ＰａおよびフォルダＦ２に格納されたテーブルＴａの情報をもとに、表示部４０に対して、体腔内画像表示領域Ａ１に画像群Ｐａにおける体腔内画像を、フレーム番号順にしたがって表示させる。
【００４１】
時刻表示制御部５５は、取り込んだ画像全体の時刻を表示部４０の時刻表示領域としてのタイムバー４２に表示させる。なお、この実施の形態では、このタイムバー４２は、１０時間のデフォルト値として設定されている。また、時刻表示制御部５５は、時刻選択手段としての入力部２０からの選択指示に基づき、タイムバー４２上の所望時刻表示領域の表示時刻スケールを変更して、図４に示すような表示を行う。
【００４２】
画像抽出部５３は、入力部２０からの指示情報に基づき、フォルダＦ１に格納された画像群Ｐａの中から指示された体腔内画像を抽出する。そして、選択画像表示制御部５６は、画像抽出部５３によって画像群Ｐａの中から抽出された体腔内画像における縮小画像であるサムネイル画像を、サムネイル画像表示領域Ａ２にフレーム番号順にしたがって表示させる。また、選択画像表示制御部５６は、タイムバー４２とサムネイル画像表示領域Ａ２に表示させたサムネイル画像とを体腔内画像Ｐｂに付与された時間情報に基づき、結線４４でリンク表示させている。
【００４３】
次に、この実施の形態におけるタイムバー４２上の時刻表示領域の表示時刻スケールの変更表示動作を図５のフローチャートに用いて説明する。まず、この実施の形態では、オペレータによって入力部２０のマウスを操作し、画面上のカーソル２１を図３に示すタイムバー４２上の、たとえば８時間（図中８ｈ）の時間軸４３上に移動させ、マウスの左ボタンを押したままの状態で、向って右方向（点線の矢印）に移動して、所望位置で左ボタンの押下を開放することで、時刻表示領域の領域幅を変更する。この動作によって時刻表示制御部５５は、所望時刻表示領域の変更指示が出されたことを検知し（ステップ１０１）、この時間軸４３の移動量に応じて、タイムバー４２の７ｈから８ｈ間および８ｈから９ｈ間の時刻表示領域の表示時刻スケールを変更する（ステップ１０２）。次に、時刻表示制御部５５および選択画像表示制御部５６は、この変更した表示時刻スケールに基づいて時間軸４３および結線４４の変更表示を行う（ステップ１０３）。なお、この実施の形態では、各時間軸４３の移動に伴って前後の時間軸との間の時刻表示領域の表示時刻スケールの変更を行う。すなわち、上記の例では、７ｈから８ｈ間の時刻表示領域の表示時刻スケールを拡大し、逆に８ｈから９ｈ間の時刻表示領域の表示時刻スケールを縮小する。
【００４４】
次に、この実施の形態では、オペレータによって入力部２０のマウスを操作し、画面上のカーソル２１を図３に示すタイムバー４２上の、たとえば７ｈの時間軸４３上に移動させ、マウスの左ボタンを押したままの状態で、向って左方向（点線の矢印）に移動して、所望位置で左ボタンの押下を開放することで、時刻表示領域の領域幅を変更する。この動作によって時刻表示制御部５５は、所望時刻表示領域の変更指示が出されたことを検知し（ステップ１０１）、この時間軸４３の移動量に応じて、タイムバー４２の６ｈから７ｈ間および７ｈから８ｈ間の時刻表示領域の表示時刻スケールを変更する（ステップ１０２）。次に、時刻表示制御部５５および選択画像表示制御部５６は、この変更した表示時刻スケールに基づいて、図４に示すように時間軸４３および結線４４の変更表示を行う（ステップ１０３）。この場合も、上述したごとく、６ｈから７ｈ間の時刻表示領域の表示時刻スケールを縮小し、逆に７ｈから８ｈ間の時刻表示領域の表示時刻スケールを拡大する。この動作によって、タイムバー４２上の７ｈから８ｈ間の時刻表示領域の表示時刻スケールを拡大することが可能となる。
【００４５】
このように、この実施の形態では、時刻表示制御部によって表示部に表示された時刻表示領域のうち、入力部によって選択された所望の時刻表示領域（７ｈから８ｈ間）の表示時刻スケールを、この時刻表示領域の領域幅に基づいて変更するので、たとえばサムネイル画像が短時間内に集中した場合などに、そのタイムバーの時刻表示領域を拡大表示することができ、これによって、時刻の表示を見やすく認識可能にすることができる。
【００４６】
（実施の形態２）
図６は、図２に示した実施の形態２にかかる表示部の表示画面の時刻表示領域変更前を示す図である。この実施の形態２が実施の形態１と異なる点は、図２に示した入力部２０が選択画像選択手段としての機能を有し、たとえば、入力部２０のマウスを操作し、図６に示すように、画面上のカーソル２１を所望のサムネイル画像Ｐｃ上に移動させた状態でマウスの左ボタンがダブルクリックされた場合に、入力部２０は、この所望のサムネイル画像Ｐｃを選択する選択信号を入力する。
【００４７】
時刻表示制御部５５は、入力部２０で選択されたサムネイル画像の予め定められた周辺の時刻表示領域の表示時刻スケールを変更する機能を有しており、たとえばサムネイル画像Ｐｃの選択に対して、所望時刻表示領域の変更指示が出されたことを検知し、７ｈから８ｈ間の時刻表示領域の表示時刻スケールを変更する。次に、時刻表示制御部５５は、この変更した表示時刻スケールに基づいて、図４と同様に、時間軸４３および結線４４の変更表示を行う。なお、この実施の形態でも、６ｈから７ｈ間および８ｈから９ｈ間の時刻表示領域の表示時刻スケールは縮小される。
【００４８】
このように、この実施の形態では、所望のサムネイル画像の選択が、その周辺の時刻表示領域の表示時刻スケールの変更を指示する状態となるので、実施の形態１と同様に、たとえばサムネイル画像が短時間内に集中した場合などに、そのタイムバーの時刻表示領域を拡大表示することができ、これによって、時刻の表示を見やすく認識可能にすることができる。
【００４９】
（実施の形態３）
図７は、図２に示した実施の形態３にかかる表示部の表示画面の時刻表示領域変更前を示す図であり、図８は、図２に示した実施の形態３にかかる表示部の表示画面の時刻表示領域変更後を示す図である。この実施の形態３が実施の形態１と異なる点は、図２に示した入力部２０が時刻選択手段としての機能を有し、たとえば、入力部２０のマウスを操作し、図７に示すように、画面上のカーソル２１を所望の結線４４上に移動させ、マウスの左ボタンを押したままの状態で、向って右方向（点線の矢印）に移動させた後、左ボタンの押下を開放することで、結線４４の位置を変更する。
【００５０】
時刻表示制御部５５は、入力部２０で選択された結線４４の予め定められた周辺の時刻表示領域の表示時刻スケールを変更する機能を有しており、たとえば結線４４の移動に対して、所望時刻表示領域が選択されたことを検知し、この結線４４の移動量に応じて、タイムバー４２の７ｈから８ｈ間および８ｈから９ｈ間の時刻表示領域の表示時刻スケールを変更する。次に、時刻表示制御部５５は、この変更した表示時刻スケールに基づいて時間軸４３およびこの時刻表示領域内の結線４４の変更表示を行う。なお、この実施の形態では、７ｈから８ｈ間の時刻表示領域の表示時刻スケールは拡大され、８ｈから９ｈ間の時刻表示領域の表示時刻スケールは縮小される。
【００５１】
このように、この実施の形態では、タイムバーとサムネイル画像とを関連付ける結線を選択、移動させることで、その周辺の時刻表示領域の表示スケールの変更を指示する状態となるので、実施の形態１と同様に、たとえばサムネイル画像が短時間内に集中した場合などに、そのタイムバーの時刻表示領域を拡大表示することができ、これによって、時刻の表示を見やすく認識可能にすることができる。
【００５２】
（実施の形態４）
図９は、図２に示した実施の形態４にかかる表示部の表示画面の一部を示す図である。この実施の形態４では、タイムバー４２上に、画像表示領域Ａ１に表示される画像の時刻位置を示す位置情報としての拡大表示領域マーカー４５を、時刻表示制御部５５によって表示させ、位置情報選択手段としての入力部２０のマウスを操作し、図９に示すように、画面上のカーソル２１を所望の位置における拡大表示領域マーカー４５上に移動させた状態で、マウスの左ボタンがダブルクリックされた場合に、入力部２０は、所望位置での選択情報を入力する。
【００５３】
時刻表示制御部５５は、入力部２０で選択された所望位置の予め定められた周辺の時刻表示領域（拡大表示領域）の表示時刻スケールを変更する機能を有しており、たとえば上記選択に対して、所望時刻表示領域の変更指示が出されたことを検知し、１ｈから２ｈ間の時刻表示領域の表示時刻スケールを変更する。次に、時刻表示制御部５５は、この変更した表示時刻スケールに基づいて、図９に示すように、タイムバー４２の下方に、タイムバー４２と同じ長さの帯状に形成される別のタイムバー６０を表示させて、そこに１ｈから２ｈ間の時刻表示領域を拡大表示させる。これにより、タイムバー６０上には、時刻１ｈから２ｈ間の時刻表示領域の表示が可能となる。なお、この拡大表示領域マーカー４５と別のタイムバー６０との間は、時刻表示制御部５５によって、結線によりリンク表示され、かつタイムバー６０とこの時間表示領域内で選択されたサムネイル画像Ｐｃとの間は、選択画像表示制御部５６によって、結線によりリンク表示されている。
【００５４】
このように、この実施の形態では、タイムバーの所望位置での選択が、その周辺の時刻表示領域の表示時刻スケールの変更を指示する状態となるので、実施の形態１と同様に、たとえばサムネイル画像が短時間内に集中した場合などに、そのタイムバーの時刻表示領域を拡大表示することができ、これによって、時刻の表示を見やすく認識可能にすることができる。また、この実施の形態では、画像全体の時刻を表示するタイムバーとは別のタイムバーに選択された時刻表示領域を拡大表示させるので、さらに時刻の表示を見やすく認識可能にすることができる。
【００５５】
（実施の形態５）
図１０は、図２に示した実施の形態５にかかる表示部の表示画面の一部を示す図である。この実施の形態５では、時刻情報選択手段としての入力部２０のマウスを操作し、図１０に示すように、画面上のカーソル２１をタイムバー４２上の所望の位置に移動させ、マウスの左ボタンを押したままの状態で、たとえば斜め右下方向（点線の矢印）に移動して、所望位置で左ボタンの押下を開放することで、入力部２０は、所望時刻表示領域での選択情報を入力する。なお、この実施の形態では、所望時刻表示領域は、時刻表示制御部５５によって拡大表示領域マーカー４６としてタイムバー４２上に表示される。
【００５６】
時刻表示制御部５５は、入力部２０で選択された所望時刻表示領域の変更指示が出されたことを検知し、カーソル２１による所望時刻表示領域の選択幅（移動量）に応じて、所望時刻表示領域（拡大表示領域）の表示時刻スケールを変更する。次に、時刻表示制御部５５は、この変更した表示時刻スケールに基づいて、図１０に示すように、タイムバー４２の下方に、タイムバー４２と同じ長さの帯状に形成される別のタイムバー６１を表示させて、そこに選択された１ｈから２ｈ間の所望時刻表示領域を拡大表示させる。これにより、タイムバー６１上には、時刻１ｈから２ｈ間の所望時刻表示領域の表示が可能となる。なお、この実施の形態でも、拡大表示領域マーカー４６と別のタイムバー６１との間は、時刻表示制御部５５によって、結線によりリンク表示され、かつタイムバー６０とこの時間表示領域内で選択されたサムネイル画像Ｐｃとの間は、選択画像表示制御部５６によって、結線によりリンク表示されている。
【００５７】
このように、この実施の形態では、表示部に表示されたタイムバー上の所定時刻表示領域を、入力部によって選択し、この選択された所望時刻表示領域の表示時刻スケールを、この所望時刻表示領域の選択幅に基づいて変更して別のタイムバーとして拡大表示させるので、実施の形態４と同様に、たとえばサムネイル画像が短時間内に集中した場合などに、さらに時刻の表示を見やすく認識可能にすることができる。
【００５８】
（実施の形態６）
図１１は、図２に示した実施の形態６にかかる表示部の表示画面の一部を示す図である。この実施の形態６では、時刻選択手段としての入力部２０のマウスを操作し、図１１に示すように、画面上のカーソル２１をタイムバー４２上の所望の時刻位置に移動させた状態で、マウスの右ボタンまたは左ボタンがクリックされた場合に、入力部２０は、所望時刻位置での選択情報を入力する。
【００５９】
時刻表示制御部５５は、入力部２０で選択された所望時刻位置の予め定められた周辺の時刻表示領域４７の表示時刻スケールを変更する機能を有しており、たとえば上記選択に対して、所望時刻表示領域４７の変更指示が出されたことを検知し、１ｈから２ｈ間の時刻表示領域の表示時刻スケールを変更する。この実施の形態では、たとえば所望の時刻位置でマウスの右ボタンが１回クリックされた場合に、時刻表示制御部５５は、１ｈから２ｈ間の時刻表示領域の表示時刻スケールを１倍に変更して、図１１の（ａ）に示すように、タイムバー４２と同じ長さの帯状からなる別のタイムバー６２に上記１ｈから２ｈ間の時刻表示領域の拡大表示を行い、マウスの右ボタンが２回クリックされた場合に、時刻表示制御部５５は、１ｈから２ｈ間の時刻表示領域の表示時刻スケールを２倍に変更して、図１１の（ｂ）に示すように、別のタイムバー６２に所望の時刻位置を中心として２倍の拡大表示を行う。なお、この場合、２倍の拡大領域は、１倍の場合の拡大領域の半分の領域が拡大対象となる。そして、右ボタンのクリックの度に、倍倍で拡大表示されることとなる。タイムバー６２の左端には、時刻表示制御部５５によってその時の倍率が表示される。
【００６０】
また、この実施の形態では、たとえば所望の時刻位置でマウスの左ボタンが１回クリックされた場合には、時刻表示制御部５５は、時刻表示領域の表示スケールを１／２倍に変更して、図１１の（ｃ）に示すように、タイムバー４２と同じ幅で、別のタイムバー６２に時刻表示領域の縮小表示を行う。図１１の（ｃ）では、（ｂ）の表示状態から左ボタンが１回クリックされた場合を想定しており、タイムバー６２の左端には、その時の倍率（×１）が表示されている。そして、左ボタンのクリックの度に、前回の半分の倍率で縮小表示されることとなる。なお、この実施の形態でも、実施の形態５と同様に、所望時刻表示領域４７と別のタイムバー６２との間は、時刻表示制御部５５によって、結線によりリンク表示され、かつタイムバー６２とこの時間表示領域内で選択された図示しないサムネイル画像との間は、選択画像表示制御部５６によって、結線によりリンク表示されている。
【００６１】
このように、この実施の形態では、表示部に表示されたタイムバー上の所定時刻表示領域を、入力部によって選択し、この選択された所望時刻表示領域の表示時刻スケールを、この所望時刻表示領域の選択の回数に基づいて変更して別のタイムバーとして拡大または縮小表示させるので、上述した実施の形態に比べてさらに時刻の表示を見やすく認識可能にすることができる。
【００６２】
（実施の形態７）
図１２は、図２に示した実施の形態７にかかる表示部の表示画面の時刻表示領域変更前を示す図であり、図１３は、同じく、実施の形態７にかかる表示部の表示画面の一部を示す図である。この実施の形態では、画像表示領域Ａ１の右下側に時刻表示領域の表示スケールを変更するための変更情報としての拡大アイコン７０と縮小アイコン７１を、画像表示制御部５４によって表示させ、変更情報選択手段としての入力部２０のマウスを操作し、図１２に示すように、画面上のカーソル２１を拡大アイコン７０または縮小アイコン７１上に移動させた状態で、マウスの左ボタンがダブルクリックされた場合に、入力部２０は、拡大アイコンまたは縮小アイコンの選択情報を入力する。
【００６３】
画像表示制御部５４は、入力部２０で選択された選択情報に基づいて、画面上のカーソル２１を矢印の表示から拡大を示す「＋」の表示または縮小を示す「−」の表示に変更する。次に、入力部２０のマウスを操作し、図１３に示すように、この変更したカーソル、たとえば（ａ）に示す「＋」の表示のカーソル２１をタイムバー４２上の所望の時刻位置に移動させた状態で、マウスの左ボタンがクリックされた場合に、入力部２０は、所望時刻位置での選択情報を入力する。
【００６４】
時刻表示制御部５５は、入力部２０で選択された所望時刻位置、この実施の形態では、２．５ｈを中心とした予め定められた周辺の時刻表示領域（０ｈから５ｈの拡大領域）の表示時刻スケールを変更する。次に、時刻表示制御部５５は、この変更した表示時刻スケールに基づいて、図１３の（ｂ）に示すように、タイムバー４２の時刻表示領域を、０ｈから５ｈの時刻表示領域に拡大表示させる。また、この「＋」の表示のカーソル２１をタイムバー４２上の所望の時刻位置に移動させた状態で、マウスの左ボタンをクリックすると、クリックされる度に、選択された時刻位置を中心として、表示時刻スケールが変更されて周辺の時刻表示領域が拡大表示される。
【００６５】
また、図１３の（ｂ）に示す状態において、たとえば入力部２０のマウスを操作し、図１２に示す画面上のカーソル２１を縮小アイコン７１上に移動させた状態で、マウスの左ボタンがダブルクリックされた場合に、入力部２０は、縮小アイコンの選択情報を入力する。画像表示制御部５４は、入力部２０で選択された選択情報に基づいて、画面上のカーソル２１を縮小を示す「−」の表示に変更する。次に、入力部２０のマウスを操作し、「−」の表示のカーソル２１をタイムバー４２上の所望の時刻位置に移動させた状態で、マウスの左ボタンがクリックされた場合に、入力部２０は、所望時刻位置での選択情報を入力する。
【００６６】
時刻表示制御部５５は、入力部２０で選択された所望時刻位置、この実施の形態では、予め定められた周辺の時刻表示領域（０ｈから１０ｈの縮小領域）の表示時刻スケールを変更する。次に、時刻表示制御部５５は、この変更した表示時刻スケールに基づいて、図１３の（ｃ）に示すように、タイムバー４２の時刻表示領域を、デフォルトの０ｈから１０ｈの時刻表示領域に縮小表示させる。なお、この実施の形態では、デフォルトの時刻表示領域の１／２の時刻表示領域からの縮小表示だったので、デフォルトの時刻表示領域に戻った表示となったが、たとえばデフォルトの時刻表示領域の１／４、１／８などの時刻表示領域からの縮小表示の場合には、入力部２０で選択された所望時刻位置を中心とした予め定められた周辺の時刻表示領域の縮小表示が行われる。また、選択画像表示制御部５６は、タイムバー４２とサムネイル画像表示領域Ａ２に表示させたサムネイル画像とを体腔内画像Ｐｂに付与された時間情報に基づき、結線４４でリンク表示させている。
【００６７】
このように、この実施の形態では、タイムバーの時刻表示領域の表示スケールを変更する変更情報を選択するとともに、この変更情報を示すカーソルをタイムバー上の所望時刻位置での選択に使用することで、この所望時刻位置を中心としたその周辺の時刻表示領域の表示時刻スケールの変更（拡大または縮小）を指示する状態となるので、必要に応じてタイムバーの拡大または縮小表示が可能となり、さらに時刻の表示を見やすく認識可能にすることができる。
【００６８】
（実施の形態８）
図１４は、本発明にかかる画像表示装置の概略構成の他例を示すブロック図であり、図１５は、図１４に示した実施の形態８にかかる表示部の表示画面の時刻表示領域変更前を示す図であり、図１６は、同じく、実施の形態８にかかる表示部の表示画面の時刻表示領域変更後を示す図であり、図１７は、図１４に示した画像表示装置における時刻表示領域の変更動作を説明するためのフローチャートである。この実施の形態８にかかる画像表示装置が、図２に示した画像表示装置と異なる点は、画像処理部５１が取得された画像の撮像時間に基づいて、画像全体の時刻を検知する時刻検知手段としての時刻検知部５７を有する点である。
【００６９】
すなわち、この実施の形態において、時刻検知部５７は、取得された画像に付与された撮像時間、特に最初に撮像された画像と最後に撮像された画像のそれぞれの撮像時間に基づいて、画像全体の時刻（撮像時間）を検知する。時刻表示制御部５５は、この時刻検知部５７で検知された画像全体の時刻に基づいて、タイムバー４２の表示時刻スケールを変更する。たとえば、時刻検知部５７で検知された画像全体の撮像時間が５時間であった場合に、時刻表示制御部５５は、図１５に示すデフォルト値の１０時間のタイムバー４２の表示を、図１６に示す５時間のタイムバー４２の表示に変更させて、表示部４０の表示画面の時刻表示領域に拡大表示させる。また、画像全体の撮像時間がデフォルト値の１０時間より長い場合には、時刻表示制御部５５は、タイムバー４２の表示を、１０時間より長い時間のタイムバー４２の表示に変更させて、表示部４０の表示画面の時刻表示領域に縮小表示させる。また、選択画像表示制御部５６は、タイムバー４２とサムネイル画像表示領域Ａ２に表示させたサムネイル画像とを体腔内画像Ｐｂに付与された時間情報に基づき、結線４４でリンク表示させている。
【００７０】
次に、この実施の形態におけるタイムバー４２上の時刻表示領域の表示時刻スケールの変更表示動作を図１７のフローチャートに用いて説明する。まず、この実施の形態では、入力部２０の操作によって、カプセル型内視鏡から画像情報の取り込みが行われると（ステップ２０１）、時刻検知部５７は、最初および最後の画像に付与されている撮像時間の情報から画像全体の時刻を検知する（ステップ２０２）。
【００７１】
次に、時刻表示制御部５５は、この検知された画像全体の時刻に基づいて、タイムバー４２の時刻表示領域の表示時刻スケールを変更する（ステップ２０３）。この実施の形態では、画像全体の撮像時間が５時間であるので、時刻表示制御部５５は、タイムバー４２の時刻表示領域の表示時刻スケールを２倍に変更させて、図１５に示すデフォルト値のタイムバー４２の表示を、同じ長さの帯状で、かつ時間幅が倍の図１６に示す５時間のタイムバー４２の表示に変更させて、表示部４０の表示画面の時刻表示領域に拡大表示させる。次に、時刻表示制御部５５および選択画像表示制御部５６は、この変更した表示時刻スケールに基づいて、図１６に示すように時間軸４３および結線４４の変更表示を行う（ステップ２０４）。
【００７２】
このように、この実施の形態では、取り込んだ画像に付与される撮像時間に基づいて、この取り込んだ画像全体の時刻を検知し、検知された画像全体の時刻に基づいて、タイムバーの表示時刻スケールを変更して、表示部の時刻表示領域に拡大または縮小表示させるので、たとえば撮像時間に応じた必要な時刻分を時刻表示領域に表示させることによって、時刻の表示を見やすく認識可能にすることができる。
【００７３】
なお、この実施の形態８は、上述した実施の形態１〜７と組み合わせることも可能である。すなわち、撮像時間に応じた必要な時刻分のタイムバーを表示させた状態において、所望の時刻表示領域の表示時刻スケールを変更すること（実施の形態１との組み合わせ）、所望のサムネイル画像の選択によって、その周辺の時刻表示領域の表示時刻スケールを変更すること（実施の形態２との組み合わせ）、タイムバーとサムネイル画像とを関連付ける結線を選択、移動させることによって、その周辺の時刻表示領域の表示スケールを変更すること（実施の形態３との組み合わせ）、タイムバーの所望位置での選択によって、その周辺の時刻表示領域の表示時刻スケールを変更して別のタイムバーとして拡大表示させること（実施の形態４との組み合わせ）、表示部に表示されたタイムバー上の所定時刻表示領域を選択することによって、この選択された所望時刻表示領域の表示時刻スケールを、この所望時刻表示領域の選択幅に基づいて変更して別のタイムバーとして拡大表示させること（実施の形態５との組み合わせ）、表示部に表示されたタイムバー上の所定時刻表示領域を選択することによって、この選択された所望時刻表示領域の表示時刻スケールを、この所望時刻表示領域の選択の回数に基づいて変更して別のタイムバーとして拡大または縮小表示させること（実施の形態６との組み合わせ）、タイムバーの時刻表示領域の表示スケールを変更する変更情報を選択するとともに、この変更情報を示すカーソルをタイムバー上の所望時刻位置での選択に使用し、この所望時刻位置を中心としたその周辺の時刻表示領域の表示時刻スケールを変更すること（実施の形態７との組み合わせ）が可能である。
【００７４】
これらの組み合わせの場合には、撮像時間に応じた必要な時刻分を時刻表示領域に表示させるとともに、その時刻表示領域の中の所望の時刻表示領域の表示時刻スケールを変更することができるので、必要に応じた所望の時刻表示領域の拡大又は縮小表示が可能となり、さらに汎用性の高い時刻表示が可能となるため、さらに時刻の表示を見やすく認識可能にすることができる。
【図面の簡単な説明】
【００７５】
【図１】本発明にかかる被検体内情報取得システムの構成概念を示すシステム概念図である。
【図２】本発明にかかる画像表示装置の概略構成の一例を示すブロック図である。
【図３】図２に示した実施の形態１にかかる表示部の表示画面の時刻表示領域変更前を示す図である。
【図４】同じく、実施の形態１にかかる表示部の表示画面の時刻表示領域変更後を示す図である。
【図５】図２に示した画像表示装置における時刻表示領域の変更動作を説明するためのフローチャートである。
【図６】図２に示した実施の形態２にかかる表示部の表示画面の時刻表示領域変更前を示す図である。
【図７】図２に示した実施の形態３にかかる表示部の表示画面の時刻表示領域変更前を示す図である。
【図８】同じく、実施の形態３にかかる表示部の表示画面の時刻表示領域変更後を示す図である。
【図９】図２に示した実施の形態４にかかる表示部の表示画面の一部を示す図である。
【図１０】図２に示した実施の形態５にかかる表示部の表示画面の一部を示す図である。
【図１１】図２に示した実施の形態６にかかる表示部の表示画面の一部を示す図である。
【図１２】図２に示した実施の形態７にかかる表示部の表示画面の時刻表示領域変更前を示す図である。
【図１３】同じく、実施の形態７にかかる表示部の表示画面の一部を示す図である。
【図１４】本発明にかかる画像表示装置の概略構成の他例を示すブロック図である。
【図１５】図１４に示した実施の形態８にかかる表示部の表示画面の時刻表示領域変更前を示す図である。
【図１６】同じく、実施の形態８にかかる表示部の表示画面の時刻表示領域変更後を示す図である。
【図１７】図１４に示した画像表示装置における時刻表示領域の変更動作を説明するためのフローチャートである。
【符号の説明】
【００７６】
１  被検体
２  受信装置
２ａ  受信ジャケット
２ｂ  外部装置
３  カプセル型内視鏡
４  画像表示装置
５  携帯型記録媒体
２０  入力部
２１  カーソル
３０  記憶部
４０  表示部
４１  再生ボタン
４２  タイムバー
４３  時間軸
４４  結線
４５，４６  拡大表示領域マーカー
４７  時刻表示領域
５０  制御部
５１  画像処理部
５２  表示制御部
５３  画像抽出部
５４  画像表示制御部
５５  時刻表示制御部
５６  選択画像表示制御部
５７  時刻検知部
６０，６１，６２  タイムバー
７０  拡大アイコン
７１  縮小アイコン
Ａ１  画像表示領域
Ａ２  サムネイル画像表示領域
Ａ３  識別情報表示領域
Ｆ１，Ｆ２  フォルダ
Ｐａ  画像群
Ｐｂ  体腔内画像
Ｐｃ  サムネイル画像
Ｔａ  テーブル
Ｗ  ウィンドウ
【図１】
2006345929.tif 000003
【図２】
2006345929.tif 000004
【図３】
2006345929.tif 000005
【図４】
2006345929.tif 000006
【図５】
2006345929.tif 000007
【図６】
2006345929.tif 000008
【図７】
2006345929.tif 000009
【図８】
2006345929.tif 000010
【図９】
2006345929.tif 000011
【図１０】
2006345929.tif 000012
【図１１】
2006345929.tif 000013
【図１２】
2006345929.tif 000014
【図１３】
2006345929.tif 000015
【図１４】
2006345929.tif 000016
【図１５】
2006345929.tif 000017
【図１６】
2006345929.tif 000018
【図１７】
2006345929.tif 000019